(57)【要約】      （修正有）【課題】サッシの障子の発熱ガラスに設けてある発熱体に給電するための可分離型給電器において、障子の閉鎖時位置が変動し、あるいは、取付位置に誤差が生じてもこれに影響されずに、端子同士が確実に接触して給電可能とする。【解決手段】障子閉鎖時に与電部品Ａと受電部品Ｂの端子同士とが接触して通電可能となるように構成されているサッシ用可分離型給電器１において、与電部品Ａは、閉鎖された障子Ｄの縦框３が縦枠２の当接する位置から僅かに室内側に寄った位置で、障子側面に向かって縦枠２に取付けられ、受電部品Ｂは、部品本体と、この部品本体にバネにより定位置に復帰するように保持された端子ホルダとからなり、障子Ｄの縦框３のガラス嵌合溝よりも縦枠２寄りの室内側面に取付けられ、与電部品Ａと受電部品Ｂの一方には端子を、他方には端子受け孔を設けた。【選択図】図１
2010144511.tif 000002
【特許請求の範囲】
【請求項１】
通電制御装置に電気的に接続された端子を有してサッシの縦枠に取付けられる与電部品と、発熱ガラスの電極に電気的に接続された端子を有して障子の縦框に取付けられる受電部品とからなり、障子閉鎖時には前記与電部品と前記受電部品の端子同士とが接触して通電可能となるように構成されているサッシ用可分離型給電器において、
前記与電部品は、閉鎖された障子の縦框が縦枠に当接する位置から僅かに室内側に寄った位置で、障子側面に向かって縦枠に取付けられ、
前記受電部品は、部品本体と、この部品本体にバネにより定位置に復帰するように保持された端子ホルダとからなり、障子の縦框のガラス嵌合溝よりも縦枠寄りの室内側面に取付けられ、
前記与電部品と前記受電部品の一方には端子を、他方には端子受け孔を設けたこと、
を特徴とするサッシ用可分離型給電器。
【請求項２】
与電部品は、一部を縦枠の内部に納めた状態で取付けられていることを特徴とする請求項１に記載のサッシ用可分離型給電器。
【請求項３】
端子が端子受け孔に納まった障子を閉めた状態において、障子に風圧その他の外力が加わって振動しても、磁気吸着手段により吸着されていることを特徴とする請求項１又は２に記載のサッシ用可分離型給電器。
【発明の詳細な説明】
【技術分野】
【０００１】
本発明は、固定部側からこれに対して接近離間する可動部側へ給電するための可分離型給電器を利用した、サッシの片引き戸又は引違い戸の発熱手段に給電するためのサッシ用可分離型給電器に関する。
【背景技術】
【０００２】
通電すると抵抗により発熱する金属薄膜などからなる発熱体を備えてなる発熱ガラスを窓ガラスに用いることにより、ガラスの結露を防止したり、窓付近の冷却下降気流（コールドドラフト）の発生を防止したり、あるいは、室内暖房をしたりすることが、例えば、特許文献１〜５に開示されている。
【０００３】
この発熱ガラスに発熱させるには、当然、発熱体に給電する必要がある。発熱ガラスが嵌め殺しにより固定されている場合は、発熱体の電極と電源に接続された通電制御装置の電極とは導線により容易に接続することができ、何等問題がない。しかし、発熱ガラスが引き戸又は引き違い戸（以下、障子という。）に用いられている場合は、障子は開閉移動されるので、発熱体の電極と通電制御装置の電極との間に、障子開放時は回路を開き、引き戸閉鎖時は回路を閉じる分離可能な給電器（可分離型給電器）を用いている（特許文献６参照。）。
【先行技術文献】
【特許文献】
【０００４】
【特許文献１】特開平１０−１０１３７６号公報
【特許文献２】特開平１０−１３９４９２号公報
【特許文献３】特開平１１−１７３０２８号公報
【特許文献４】特開２０００−１９１３４７号公報
【特許文献５】特開２００２−３２８６９号公報
【特許文献６】特開２００２−３０９８６３号公報
【０００５】
上記可分離型給電器は、通電制御装置に電気的に接続された端子を有してサッシの縦枠に取付けられる与電部品と、発熱ガラスの電極に電気的に接続された端子を有して障子の縦框に取付けられる受電部品とからなり、障子閉鎖時には与電部品と受電部品の端子同士とが接触して通電可能となるように構成されている。
【発明の概要】
【発明が解決しようとする課題】
【０００６】
しかしながら、障子は下部がサッシ下枠の下レールに戸車を介して摺動自在に嵌合され、上部はサッシ上枠の上レールに摺動自在に嵌合されるが、障子と上枠及び下枠との間には障子摺動の円滑性を確保するためのクリアランスが設けてあるので、障子の厚み方向（室内外方向）に数ｍｍ程度の範囲で揺動可能である。従って、障子を閉鎖する際の障子に対する力の加え方又は障子に加わる風圧の大小などにより、障子が閉鎖位置に到達した時の縦枠に対する位置が変わる場合があり、また、与電部品及び受電部品の取付位置に誤差が生じる場合もあるため、受電部品の端子が常に与電部品の端子と正しく接触するとは限らない。そのため、障子閉鎖状態で通電制御装置が給電動作をしても、発熱体に給電されないという問題がある。また、障子を閉めた時、受電部品の端子と与電部品の端子が一定の接触力で接触できるようにしないと部品が破損し易い。
【０００７】
本発明は、上記問題を解決するためになされたものである。すなわち、本発明の課題は、サッシ枠に取付けられる与電部品と、障子框に取付けられる受電部品とからなり、障子閉鎖時に与電部品の端子と受電部品の端子とが接触して通電可能となるように構成されている、サッシの障子の発熱ガラスに設けてある発熱体に給電するための可分離型給電器において、障子の閉鎖時位置が変動しても、あるいは、取付位置に誤差が生じてもこれに影響されずに、端子同士が確実に接触して給電可能な構成を付加することにある。
【課題を解決するための手段】
【０００８】
上記課題を解決するため、本発明は、通電制御装置に電気的に接続された端子を有してサッシの縦枠に取付けられる与電部品と、発熱ガラスの電極に電気的に接続された端子を有して障子の縦框に取付けられる受電部品とからなり、障子閉鎖時には前記与電部品と前記受電部品の端子同士とが接触して通電可能となるように構成されているサッシ用可分離型給電器において、前記与電部品は、閉鎖された障子の縦框が縦枠に当接する位置から僅かに室内側に寄った位置で、障子側面に向かって縦枠に取付けられ、前記受電部品は、部品本体と、この部品本体にバネにより定位置に復帰するように保持された端子ホルダとからなり、障子の縦框のガラス嵌合溝よりも縦枠寄りの室内側面に取付けられ、前記与電部品と前記受電部品の一方には端子を、他方には端子受け孔を設けたことを特徴としている。
本発明の他の特徴は、与電部品がその一部を縦枠の内部に納めた状態で取付けられていることである。
本発明のさらに他の特徴は、端子が端子受け孔に納まった障子を閉めた状態において、障子に風圧その他の外力が加わって振動しても、磁気吸着手段により吸着されていることである。
【発明の効果】
【０００９】
本発明によれば、与電部品はサッシ縦枠に取付けることで、固着・配線などの取付け施工が容易となり、受電部品がガラス嵌合溝より縦枠寄りの室内側面に取り付けてあるので、受電部品の室内側への張り出しを軽減でき、ガラスの影響を受けない部位で配線を行なうことができる。また、サッシ枠に与電部品を障子の見込み幅の小さい部位に受電部品を取付けるので、取付け、配線の容易性のみならず、張り出しの小さい給電器とすることができる。
また、与電部品の一部を縦枠内部に納めることで、張り出しをさらに小さくすることができる。
さらに、端子接続状態で障子が振れても、与電部品と受電部品は、端子ホルダがバネで小練り運動自在であり、さらに、磁気吸着手段により吸着されているので、両部品が外れることがない。
【図面の簡単な説明】
【００１０】
【図１】本発明に係る可分離型給電器のサッシに対する取付け状態の一例を示す水平断面図。
【図２】配電盤から同給電器を経て発熱ガラスの発熱体の電極に至るまでの配線状態の一例を示す配線図。
【図３】与電部品の正面図。
【図４】同じく正面中央縦断面図。
【図５】受電部品の左側面図。
【図６】同じく正面図。
【図７】同じく右側面図。
【図８】図５のＸ−Ｘ線断面図。
【図９】図５のＹ−Ｙ線断面図。
【発明を実施するための形態】
【００１１】
続いて、本発明の実施の形態について、図面を参照しながら説明する。
図１は本発明に係る可分離型給電器のサッシに対する取付け状態の一例を示す水平断面図、図２は配電盤から同給電器を経て発熱ガラスの発熱体の電極に至るまでの配線状態の一例を示す配線図である。
図３は与電部品の正面図、図４は同じく正面中央縦断面図、図５は受電部品の左側面図、図６は同じく正面図、図７は同じく右側面図、図８は図５のＸ−Ｘ線断面図、図９は図５のＹ−Ｙ線断面図である。
【００１２】
図１及び図２の１は、本発明の一実施例である可分離型給電器であり、固定部に相当するサッシ枠Ｆの縦枠２に取付けられる与電部品Ａと、可動部に相当する障子Ｄの閉鎖時に縦枠２に密着される縦框３に取付けられる受電部品Ｂとからなっている。図示されていない電源に接続されている配電盤４に一端が接続され、壁内を配線されている導線５が縦枠２内に挿通され、その導線の他端が与電部品Ａの後述される端子（図４の符号１４）に接続されている。また、受電部品Ｂの後述される端子（図５の符号２５）には障子縦框内に挿通された導線（図２の符号９）の一端が接続され、他端は障子の発熱ガラス６に担持されている発熱体７の電極に接続されている。図２の８は導線５の途中に、室内から操作できるように設けられたコントローラである。発熱ガラス６は、一例として上記特許文献により知られているものであり、ガラスの表面に通電すると抵抗により発熱する金属薄膜などの発熱体を塗着した既知のものである。
【００１３】
与電部品Ａは、絶縁性合成樹脂で成形された部品本体１１を有する。この部品本体１１は、上下に部品本体を縦枠２に固定するためのビスを通す孔１２が設けてあり、その上下の孔の間の上下離間した位置において正面側に広く背面側に狭くなるロート状の端子受け孔１３が形成されている。そして、各端子受け孔１３の底部に端子１４が設けられている。この端子には、前記導線５の端部が接続されている。部品本体１１の上下の端子１４の間には永久磁石１５が埋設され、その両磁極に密着された磁性板１６の端部が上下の端子受け孔１３の間において部品本体１１の正面に突出されている。
【００１４】
部品本体１１には、さらに、例えば、メーク接点を有する近接スイッチ１７が設けられ、その近接スイッチの両端子には、一端がコントローラ８に接続された導線１８の他端が接続されている。コントローラ８は、この近接スイッチが閉じられたことを導線５を介して与電部品Ａに電源を供給する条件の一つとするものである。
【００１５】
与電部品Ａは、閉鎖された障子の縦框３が縦枠２に当接する位置から僅かに室内側に寄った位置に形成された取付け孔（不図示）に嵌合され、端子受け孔１３を障子Ｄの開閉移動方向と平行な方向に向けた状態で、孔１２からねじ込まれるビスで固定される。
【００１６】
他方、受電部品Ｂは、与電部品Ａと同様の樹脂材料で成形された部品本体２１を有する。この部品本体２１も上下に部品本体を障子の縦框３に固定するためのビスを通す孔２２が設けてあり、その上下の孔の間に正面側に開口された収容部（ハウジング）２３を有している。そして、その収容部の中に、端子ホルダ２４が後述するように、回動自在（すなわち、小練り運動可能）に、かつ、定位置に復帰するように保持されている。
【００１７】
端子ホルダ２４は、上下に与電部品Ａの端子受け孔１３の間隔と等しい間隔を持って正面側（縦枠側）に突出する端子２５を有している。また、端子ホルダ２４の正面には、与電部品Ａの近接スイッチ１７に対応するアクチュエータ２６が設けられている。アクチュエータ２６は近接スイッチ１７の種類によりその形態が異なる。図示の例は、近接スイッチ１７のメーク接点を押圧して閉じるように突起で形成されている例に過ぎない。近接スイッチ１７がマグネットスイッチである場合は、アクチュエータ２６はマグネットで構成され、突出される必要はない。
【００１８】
端子ホルダ２４を、回動自在に、かつ、定位置に復帰するように保持するための具体的構造は、既知の各種の技術を用いることができるが、その一例を説明すると、端子ホルダ２４は収容部２３の中まで挿入されていて、その挿入部分には各端子２５と反対方向に突出するピン２７が設けられ、各ピンに一端が収容部２３の背面壁に当接されたコイルバネ２８が巻回係止されて、端子ホルダ２４が正面方向に付勢されている。また、端子ホルダ２４の中間部にコイルバネ２８による付勢方向、すなわち、端子２５の軸線と平行な方向に長い長孔２９が設けられ、その長孔に部品本体２１の底部に固着された水平軸２１０が遊挿されている。従って、端子ホルダ２４は水平軸２１０の軸線周りに所定角度範囲内で回動可能であると同時に、水平軸２１０と平行な方向及び端子２５の軸線と平行な方向に所定距離範囲内で移動可能である。水平軸２１０には、もう一つのコイルバネ２１１が巻回されて、端子ホルダ２４はそのコイルバネにより収容部の側面側に付勢されている。水平軸２１０は端子ホルダ２４がコイルバネ２８の付勢力により収容部２３から抜脱されるのを防止する作用をもしている。
【００１９】
端子ホルダ２４の端子２５の間には、磁石に吸着される磁性板２１２が正面側に向けて取付けられている。与電部品Ａの磁石１５、磁性板１６及び磁性金属板２１２とで磁気的吸着手段が構成されている。
【００２０】
上記構成により、受電部品Ｂを障子Ｄの縦框３の与電部品Ａと同じ高さにおける室内側面に部品本体２１を当接してビスで固定した場合は、端子２５はその軸線が与電部品Ａの端子受け孔１３の軸線と共通の水平線上で合致するように取付けられる。そして、端子２５の先端に前記水平線に対して斜め方向の力が加えられると、端子ホルダ２４がその力の加えられる方向に傾動し、その力が除かれると、コイルバネ２８及び／又はコイルバネ２１１により力が加えられる前の状態に復帰する。
【００２１】
受電部品Ｂの各端子２５の端子ホルダ２４内側の端部には導線９が接続され、その導線は部品本体２１の背面側に形成してある孔２１３を経て障子の縦框３内に貫通され、縦框のガラス嵌合溝３ａに嵌合されている発熱ガラス６の発熱体の電極に接続されている。
【００２２】
上述の与電部品Ａと受電部品Ｂが図１に示すように適切な位置に取付けられた状態で開放位置にある障子Ｄを閉める時、与電部品Ａと受電部品Ｂの取付位置が正確であり、かつ、障子の閉鎖位置が正常である場合は、受電部品Ｂの端子２５の先端が端子受け孔１３の周辺に接触することなく与電部品Ａの端子１４に接触する。また、与電部品Ａと受電部品Ｂの取付位置に誤差があり、又は障子の閉鎖位置が正常位置から数ｍｍ程度の通常生じやすい範囲でずれている場合は、受電部品Ｂの端子２５の先端が端子受け孔１３の周辺に接触するが、これに案内されて与電部品Ａの端子１４に接触することができる。そして、いずれの場合も、与電部品Ａの端子１４と受電部品Ｂの端子２５とが接触する状態まで接近した時は、近接スイッチ１７がアクチュエータ２６によりＯＮされる。従って、コントローラ８が発熱体７に通電させるように設定されている場合は、この近接スイッチ１７がＯＮとなる条件が満たされたので、通電が開始される。従って、端子１４，２５の接触後に通電されるから、端子接触時のスパーク発生が防止される。また、端子ホルダ２４は端子の接触方向に摺動でき、コイルバネにより復帰方向に付勢されているので、接触部に無理な力を与えずに接触できる。
【００２３】
また、与電部品Ａの端子１４と受電部品Ｂの端子２５とが接触する状態まで接近した時は、磁気的吸着手段が動作するので、端子ホルダ２４の磁性板２１２も与電部品Ａの磁性板１６に接近して、吸着されるため、障子Ｄに風圧その他の外力が加わって振動しても、また、サッシの錠装置による障子の縦枠に対する引付け力が弱いために与電部品Ａと受電部品Ｂが僅かに離間することがあっても、端子ホルダ２４は磁気吸着手段により与電部品Ａ側に吸着されているので、端子１４，２５の電気的接続状態は保持される。
【００２４】
以上には、端子ホルダが受電部品Ｂに設けられた場合について説明したが、端子を受電部品Ｂ側に向けた端子ホルダを与電部品Ａ側に小練り運動自在に設け、受電部品Ｂに端子受け孔を形成して、その孔の底部に端子を設けても上述した場合と同様の作用効果を得ることができる。
【産業上の利用可能性】
【００２５】
上には、サッシの障子に設けられた発熱ガラスの発熱体に給電する場合に用いて好適な実施例について説明したが、本発明の用途はこれに限らず、与電部品を固定側に、受電部品を可動側に取付けて固定側から可動側に給電する場合に広く使用することができる。
【符号の説明】
【００２６】
Ｆ        サッシ枠
２        縦枠
Ｄ        障子
３        縦框
１        可分離型給電器
Ａ        与電部品
１３      端子受け孔
１４      端子
１５，１６    吸着手段
１７      近接スイッチ
Ｂ        受電部品
２４      端子ホルダ
２５      端子
２６      アクチュエータ
２７      ピン
２１０    水平軸
２８,２１１    コイルバネ（付勢手段）
【図１】
2010144511.tif 000003
【図２】
2010144511.tif 000004
【図３】
2010144511.tif 000005
【図４】
2010144511.tif 000006
【図５】
2010144511.tif 000007
【図６】
2010144511.tif 000008
【図７】
2010144511.tif 000009
【図８】
2010144511.tif 000010
【図９】
2010144511.tif 000011